【手続補正書】
【提出日】平成31年4月22日(2019.4.22)
【手続補正１】
【補正対象書類名】特許請求の範囲
【補正対象項目名】全文
【補正方法】変更
【補正の内容】
【特許請求の範囲】
【請求項１】
リソースをグループに割り当てる方法であって、前記グループは、１つまたは複数のモバイルワイヤレス送受信ユニット（ＷＴＲＵ）および監視モバイル（ＳＭ）ＷＴＲＵをグループメンバとして含み、
前記グループメンバに関する情報をネットワークエンティティに前記ＳＭＷＴＲＵによって送るステップと、
前記グループメンバによって使用されることになる１つまたは複数のリソース割り当てと、前記１つまたは複数のリソース割り当てが、（１）前記グループメンバに対するプールされたリソース割り当て、または、（２）１つもしくは複数のそれぞれのグループメンバに関連付けられた個別のリソース割り当てかどうかとを示している構成情報を前記ＳＭＷＴＲＵによって受信するステップと、
グループメンバのセットに関連付けられた前記示されたリソース割り当てをグループメンバの前記セットに前記ＳＭＷＴＲＵによって送るステップと
を備え、
前記示されたリソース割り当てが前記プールされたリソース割り当てであることを条件に、前記ＳＭＷＴＲＵは、前記グループメンバの間または中での通信に対する前記プールされたリソース割り当てを他のグループメンバと共有し、
前記示されたリソース割り当てが前記個別のリソース割り当てであることを条件に、前記ＳＭＷＴＲＵは、前記ＳＭＷＴＲＵと１つもしくは複数の他のグループメンバのいずれかとの間または中での通信に対する関連付けられた個別のリソース割り当てを使用する
ことを特徴とする方法。
【請求項２】
第１の車両としての前記ＳＭＷＴＲＵと、追加車両としての前記１つまたは複数の他のグループメンバのいずれかとの間または中で通信するステップをさらに備えたことを特徴とする請求項１に記載の方法。
【請求項３】
前記示されたリソース割り当てをグループメンバの前記セットに送る前記ステップは、
ＰＣ５インタフェースを介することを特徴とする請求項１に記載の方法。
【請求項４】
前記ＳＭＷＴＲＵが前記示されたリソース割り当てをグループメンバの前記セットに送る前に、前記グループメンバとの間または中での通信に対する予め構成されたリソース割り当てを確立するステップをさらに備えたことを特徴とする請求項１に記載の方法。
【請求項５】
前記ＳＭＷＴＲＵと前記他のグループメンバのいずれかとの間または中での前記通信は、Ｖ２Ｖ通信であることを特徴とする請求項１に記載の方法。
【請求項６】
リソースをグループに割り当てる方法であって、前記グループは、１つまたは複数のモバイルワイヤレス送受信ユニット（ＷＴＲＵ）をグループメンバとして含み、
前記グループの第１のモバイルＷＴＲＵが前記グループに対する監視モバイル（ＳＭ）ＷＴＲＵとして動作することになるというインジケーションをネットワークエンティティから前記第１のモバイルＷＴＲＵによって受信するステップと、
前記ＳＭＷＴＲＵとして動作するように前記第１のモバイルＷＴＲＵを前記第１のモバイルＷＴＲＵによって構成するステップと、
前記グループメンバによって使用されることになる１つまたは複数のリソース割り当てと、前記１つまたは複数のリソース割り当てが、（１）前記グループメンバに対するプールされたリソース割り当て、または、（２）１つもしくは複数のそれぞれのグループメンバに関連付けられた個別のリソース割り当てかどうかとを示している構成情報を前記構成されたＳＭＷＴＲＵによって受信するステップと、
グループメンバのセットに関連付けられた前記示されたリソース割り当てをグループメンバの前記セットに前記構成されたＳＭＷＴＲＵによって送るステップと
を備え、
前記示されたリソース割り当てが前記プールされたリソース割り当てであることを条件に、前記構成されたＳＭＷＴＲＵは、前記グループメンバの間または中での通信に対する前記プールされたリソース割り当てを他のグループメンバと共有し、
前記示されたリソース割り当てが前記個別のリソース割り当てであることを条件に、前記構成されたＳＭＷＴＲＵは、前記構成されたＳＭＷＴＲＵと１つもしくは複数の他のグループメンバのいずれかとの間または中での通信に対する関連付けられた個別のリソース割り当てを使用する
ことを特徴とする方法。
【請求項７】
前記１つまたは複数の他のグループメンバに対する中継動作と、前記グループのメンバとしての動作との両方を前記構成されたＳＭＷＴＲＵによって実行するステップをさらに備えたことを特徴とする請求項６に記載の方法。
【請求項８】
前記第１のモバイルＷＴＲＵに関連付けられた能力情報を前記ＳＭＷＴＲＵが構成される前に前記ネットワークエンティティに前記第１のモバイルＷＴＲＵによって送るステップをさらに備え、
前記第１のモバイルＷＴＲＵが前記ＳＭＷＴＲＵとして動作することになるという前記インジケーションの前記受信するステップは、前記第１のモバイルＷＴＲＵがＳＭＷＴＲＵ動作をサポートする能力を有していることに基づく
ことを特徴とする請求項６に記載の方法。
【請求項９】
前記能力情報は、（１）前記第１のモバイルＷＴＲＵの動作周波数情報、（２）前記第１のモバイルＷＴＲＵの１つまたは複数の無線に関する動作情報、（３）前記第１のモバイルＷＴＲＵが中継動作をサポートするかどうかのインジケーション、および／または（４）前記第１のモバイルＷＴＲＵの位置情報のいずれかを含むことを特徴とする請求項８に記載の方法。
【請求項１０】
リソースをグループに割り当てるように構成された監視モバイル（ＳＭ）ワイヤレス送受信ユニット（ＷＴＲＵ）であって、前記グループは、１つまたは複数のモバイルＷＴＲＵおよび前記ＳＭＷＴＲＵをグループメンバとして含み、
前記グループメンバに関する情報をネットワークエンティティに送り、
前記グループメンバによって使用されることになる１つまたは複数のリソース割り当てと、前記１つまたは複数のリソース割り当てが、（１）前記グループメンバに対するプールされたリソース割り当て、または、（２）１つもしくは複数のそれぞれのグループメンバに関連付けられた個別のリソース割り当てかどうかとを示している構成情報を受信し、
グループメンバのセットに関連付けられた前記示されたリソース割り当てをグループメンバの前記セットに送る
ように構成された送受信ユニットを備え、
前記示されたリソース割り当てが前記プールされたリソース割り当てであることを条件に、前記ＳＭＷＴＲＵは、前記グループメンバの間または中での通信に対する前記プールされたリソース割り当てを他のグループメンバと共有するように構成され、
前記示されたリソース割り当てが前記個別のリソース割り当てであることを条件に、前記ＳＭＷＴＲＵは、前記ＳＭＷＴＲＵと１つもしくは複数の他のグループメンバのいずれかとの間または中での通信に対する関連付けられた個別のリソース割り当てを使用するように構成された
ことを特徴とするＳＭＷＴＲＵ。
【請求項１１】
前記送受信ユニットは、第１の車両としての前記ＳＭＷＴＲＵと、追加車両としての前記１つまたは複数の他のグループメンバのいずれかとの間または中で通信するように構成されたことを特徴とする請求項１０に記載のＳＭＷＴＲＵ。
【請求項１２】
前記送受信ユニットは、ＰＣ５インタフェースを介して、前記示されたリソース割り当てをグループメンバの前記セットに送るように構成されたことを特徴とする請求項１０に記載のＳＭＷＴＲＵ。
【請求項１３】
予め構成されたリソース割り当ては、前記ＳＭＷＴＲＵが前記グループメンバに関する情報を前記ネットワークエンティティに送る前に、前記グループメンバとの間または中での通信に対して確立されることを特徴とする請求項１０に記載のＳＭＷＴＲＵ。
【請求項１４】
前記ＳＭＷＴＲＵと前記他のグループメンバのいずれかとの間または中での前記通信は、Ｖ２Ｖ通信であることを特徴とする請求項１０に記載のＳＭＷＴＲＵ。
【請求項１５】
リソースをグループに割り当てるように構成された第１のモバイルワイヤレス送受信ユニット（ＷＴＲＵ）であって、前記グループは、前記第１のモバイルＷＴＲＵおよび１つまたは複数の他のモバイルＷＴＲＵをグループメンバとして含み、
前記第１のモバイルＷＴＲＵが前記グループに対する監視モバイル（ＳＭ）ＷＴＲＵとして動作することになるというインジケーションをネットワークエンティティから受信するように構成された送受信ユニットと、
前記ＳＭＷＴＲＵとして動作するように前記第１のモバイルＷＴＲＵを構成するように構成されたプロセッサと
を備え、前記構成されたＳＭＷＴＲＵの前記送受信ユニットは、
前記グループメンバによって使用されることになる１つまたは複数のリソース割り当てと、前記１つまたは複数のリソース割り当てが、（１）前記グループメンバに対するプールされたリソース割り当て、または、（２）１つもしくは複数のそれぞれのグループメンバに関連付けられた個別のリソース割り当てかどうかとを示している構成情報を受信し、
グループメンバのセットに関連付けられた前記示されたリソース割り当てをグループメンバの前記セットに送る
ように構成され、
前記示されたリソース割り当てが前記プールされたリソース割り当てであることを条件に、前記構成されたＳＭＷＴＲＵは、前記グループメンバの間または中での通信に対する前記プールされたリソース割り当てを他のグループメンバと共有するように構成され、
前記示されたリソース割り当てが前記個別のリソース割り当てであることを条件に、前記構成されたＳＭＷＴＲＵは、前記構成されたＳＭＷＴＲＵと１つもしくは複数の他のグループメンバのいずれかとの間または中での通信に対する関連付けられた個別のリソース割り当てを使用するように構成された
ことを特徴とする第１のモバイルＷＴＲＵ。
【請求項１６】
前記構成されたＳＭＷＴＲＵは、前記１つまたは複数の他のグループメンバに対する中継動作と、前記グループのメンバとしての動作との両方を実行するように構成されたことを特徴とする請求項１５に記載の第１のモバイルＷＴＲＵ。
【請求項１７】
前記構成されたＳＭＷＴＲＵの前記送受信ユニットは、前記第１のモバイルＷＴＲＵに関連付けられた能力情報を前記ＳＭＷＴＲＵが構成される前に前記ネットワークエンティティに送るように構成され、
前記構成されたＳＭＷＴＲＵとして動作するというための前記インジケーションの前記受信することは、前記第１のモバイルＷＴＲＵがＳＭＷＴＲＵ動作をサポートする能力を有していることに基づく
ことを特徴とする請求項１５に記載の第１のモバイルＷＴＲＵ。
【請求項１８】
前記能力情報は、（１）前記第１のモバイルＷＴＲＵの動作周波数情報、（２）前記第１のモバイルＷＴＲＵの１つまたは複数の無線に関する動作情報、（３）前記第１のモバイルＷＴＲＵが中継動作をサポートするかどうかのインジケーション、および／または（４）前記第１のモバイルＷＴＲＵの位置情報のいずれかを含むことを特徴とする請求項１７に記載の第１のモバイルＷＴＲＵ。